(57)【要約】【課題】パスワードの設定等の操作を不要として、年齢に応じたより詳細な視聴制限を行うことができるとともに、その年齢や識別情報を予め設定・登録したり、成長に応じて変更する必要もなく、使い勝手のよいテレビ視聴制限技術を提供せんとする。【解決手段】撮像手段で取得されるテレビ視聴者の顔画像を、顔画像記憶手段に記憶するとともに、当該人物のテレビ視聴履歴情報を前記顔画像に関連付けて視聴履歴記憶手段に記憶し、前記撮像手段で取得された顔画像につき、前記顔画像記憶手段を照合して一致する顔画像の人物を特定し、特定された人物のテレビ視聴履歴情報を視聴履歴記憶手段から抽出し、該テレビ視聴履歴情報に基づきテレビの視聴制限の必要性を判定し、その判定結果に基づき必要な視聴制限を行う。【選択図】図２
2008182392.tif 000002
【特許請求の範囲】
【請求項１】
撮像手段により取得されるテレビ視聴者の顔画像を、顔画像記憶手段に記憶するとともに、当該人物のテレビ視聴履歴情報を前記顔画像に関連付けて視聴履歴記憶手段に記憶しておき、
前記撮像手段で取得された顔画像につき、前記顔画像記憶手段を照合して一致する顔画像の人物を特定し、
特定された人物のテレビ視聴履歴情報を視聴履歴記憶手段から抽出し、
該テレビ視聴履歴情報に基づきテレビの視聴制限の必要性を判定し、
その判定結果に基づき、要求された番組について必要な視聴制限を行うことを特徴とするテレビ視聴制限方法。
【請求項２】
前記撮像手段により取得されるテレビ視聴者の人数を判定し、一人の場合に、その顔画像を顔画像記憶手段に記憶するとともに当該人物のテレビ視聴履歴情報を前記顔画像に関連付けて視聴履歴記憶手段に記憶し、同じく前記撮像手段により取得されるテレビ視聴者の人数が一人の場合に、その顔画像につき、前記顔画像記憶手段を照合して一致する顔画像の人物を特定してなる請求項１記載のテレビ視聴制限方法。
【請求項３】
視聴時間が所定時間以上の場合にのみ、前記視聴履歴情報を前記顔画像に関連付けて視聴履歴記憶手段に記憶する請求項１又は２記載のテレビ視聴制限方法。
【請求項４】
視聴する時間帯に応じて重みの異なる点数を設定しておき、テレビ視聴履歴情報として、視聴した時間帯の視聴時間に基づき当該時間帯の点数を算出して視聴履歴記憶手段に記憶し、該点数に基づき、前記視聴制限の必要性を判定してなる請求項１〜３の何れか１項に記載のテレビ視聴制限方法。
【請求項５】
視聴する番組の対象年齢に応じて重みの異なる点数を設定しておき、テレビ視聴履歴情報として、視聴した番組の視聴時間に基づき当該番組の点数を算出して視聴履歴記憶手段に記憶し、該点数に基づき、前記視聴制限の必要性を判定してなる請求項１〜４の何れか１項に記載のテレビ視聴制限方法。
【請求項６】
視聴する時間帯に応じて重みの異なる点数および視聴する番組の対象年齢に応じて重みの異なる点数をそれぞれ設定しておき、テレビ視聴履歴情報として、視聴した時間帯の視聴時間に基づく当該時間帯の点数、および視聴した番組の視聴時間に基づく当該番組の点数を加算した合計点数を視聴履歴記憶手段に記憶し、該合計点数に基づき、前記視聴制限の必要性を判定してなる請求項１〜３の何れか１項に記載のテレビ視聴制限方法。
【請求項７】
テレビ視聴者の顔画像を取得する撮像手段と、
顔画像を記憶する顔画像記憶手段と、
前記顔画像に関連付けて、当該人物のテレビ視聴履歴情報を記憶する視聴履歴記憶手段と、
前記撮像手段で取得された顔画像に基づき前記顔画像記憶手段を照合し、一致する顔画像の人物を特定する顔認識手段と、
前記顔認識手段で特定された人物のテレビ視聴履歴情報を視聴履歴記憶手段から抽出し、該テレビ視聴履歴情報に基づきテレビの視聴制限の必要性を判定する判定手段と、
前記判定手段の結果に基づき、要求された番組について必要な視聴制限を行う視聴制限手段と、
より構成してなることを特徴とするテレビ視聴制限装置。
【請求項８】
前記視聴履歴情報が、視聴した時間帯および視聴した番組に関する情報を含む請求項７記載のテレビ視聴制限装置。
【請求項９】
視聴する時間帯に応じて重みの異なる点数を設定しておき、前記視聴履歴記憶手段が、テレビ視聴履歴情報として視聴した時間帯の視聴時間に基づき当該時間帯の点数を算出して視聴履歴記憶手段に記憶してなり、前記判定手段が、抽出した前記テレビ視聴履歴情報に含まれる前記点数に基づき、前記視聴制限の必要性を判定してなる請求項７又は８記載のテレビ視聴制限装置。
【請求項１０】
視聴する番組の対象年齢に応じて重みの異なる点数を設定しておき、前記視聴履歴記憶手段が、テレビ視聴履歴情報として視聴した番組の視聴時間に基づき当該番組の点数を算出して視聴履歴記憶手段に記憶してなり、前記判定手段が、抽出した前記テレビ視聴履歴情報に含まれる前記点数に基づき、前記視聴制限の必要性を判定してなる請求項７〜９の何れか１項に記載のテレビ視聴制限装置。
【請求項１１】
コンピュータに、請求項１〜６の何れか１項に記載のテレビ視聴制限方法における各手順を実行させるための視聴制限プログラムであって、撮像手段により取得されるテレビ視聴者の顔画像を、顔画像記憶手段に記憶するとともに、当該人物のテレビ視聴履歴情報を前記顔画像に関連付けて視聴履歴記憶手段に記憶する手順、前記撮像手段で取得された顔画像につき、前記顔画像記憶手段を照合して一致する顔画像の人物を特定する手順、特定された人物のテレビ視聴履歴情報を視聴履歴記憶手段から抽出する手順、該テレビ視聴履歴情報に基づきテレビの視聴制限の必要性を判定する手順、その判定結果に基づき、要求された番組について必要な視聴制限を行う手順、を実行させるテレビ視聴制限プログラム。
【発明の詳細な説明】
【技術分野】
【０００１】
本発明は、予め年齢等を設定する必要がなく、その人物の過去の視聴履歴に基づいて適切な視聴制限を行うことができるテレビ視聴制限技術に関する。
【背景技術】
【０００２】
従来、テレビ視聴制限技術としては、テレビ放送局からの映像信号に規制データ、例えば２０歳未満視聴制限情報などのデータが含まれ、これを検出して視聴制限を行い、パスワードの入力があれば制限を解除することが行われている。しかしながら、パスワードを忘れてしまうといった問題のほか、子供にパスワードを知られてしまうと適切な視聴制限ができなくなってしまうという問題もある。またパスワードの有無により制限の要否を判定するのみであり、その年齢に応じて細かな制限を行うことはできない。
【０００３】
一方、パスワードの入力を省略したテレビ視聴制限技術としては、視聴者の眼の虹彩パターンを撮影する虹彩認識カメラと、虹彩認識カメラで撮影された虹彩パターンに基づいて視聴者を特定する視聴者特定手段とを設け、予め登録された視聴者情報と比較することによって視聴者を特定でき、視聴者が幼児や未成年者である場合には、教育上好ましくない画面が表示されるときに視聴制限することが提案されている（例えば、特許文献１参照。）。
【０００４】
しかし、このような技術によっても、予め虹彩パターンによって特定される人物の年齢等を予め設定・登録しておく必要があり、その登録が為されていない人物の場合に適切に視聴制限することができないといった問題があり、また、登録した子供が成長した場合には、それに応じて設定を変更する必要があり、手間がかかり、とくに視聴制限について年齢に応じた細かい設定を行う場合には、その登録や変更の作業が非常に煩雑となる。
【０００５】
【特許文献１】特開２００１−１６５１４号公報
【発明の開示】
【発明が解決しようとする課題】
【０００６】
そこで、本発明が前述の状況に鑑み、解決しようとするところは、パスワードの設定等の操作を不要として、年齢に応じたより詳細な視聴制限を行うことができるとともに、その年齢や識別情報を予め設定・登録したり、成長に応じて変更する必要もなく、使い勝手のよいテレビ視聴制限方法、装置及びプログラムを提供する点にある。
【課題を解決するための手段】
【０００７】
本発明は、前述の課題解決のために、撮像手段により取得されるテレビ視聴者の顔画像を、顔画像記憶手段に記憶するとともに、当該人物のテレビ視聴履歴情報を前記顔画像に関連付けて視聴履歴記憶手段に記憶しておき、前記撮像手段で取得された顔画像につき、前記顔画像記憶手段を照合して一致する顔画像の人物を特定し、特定された人物のテレビ視聴履歴情報を視聴履歴記憶手段から抽出し、該テレビ視聴履歴情報に基づきテレビの視聴制限の必要性を判定し、その判定結果に基づき、要求された番組について必要な視聴制限を行うことを特徴とするテレビ視聴制限方法を提供する。
【０００８】
ここで、前記撮像手段により取得されるテレビ視聴者の人数を判定し、一人の場合に、その顔画像を顔画像記憶手段に記憶するとともに当該人物のテレビ視聴履歴情報を前記顔画像に関連付けて視聴履歴記憶手段に記憶し、同じく前記撮像手段により取得されるテレビ視聴者の人数が一人の場合に、その顔画像につき、前記顔画像記憶手段を照合して一致する顔画像の人物を特定することが好ましい。
【０００９】
また、視聴時間が所定時間以上の場合にのみ、前記視聴履歴情報を前記顔画像に関連付けて視聴履歴記憶手段に記憶することが好ましい。
【００１０】
さらに、具体的な判定手法としては、視聴する時間帯に応じて重みの異なる点数を設定しておき、テレビ視聴履歴情報として、視聴した時間帯の視聴時間に基づき当該時間帯の点数を算出して視聴履歴記憶手段に記憶し、該点数に基づき、前記視聴制限の必要性を判定する。
【００１１】
また、視聴する番組の対象年齢に応じて重みの異なる点数を設定しておき、テレビ視聴履歴情報として、視聴した番組の視聴時間に基づき当該番組の点数を算出して視聴履歴記憶手段に記憶し、該点数に基づき、前記視聴制限の必要性を判定することも好ましい。
【００１２】
望ましくは、視聴する時間帯に応じて重みの異なる点数および視聴する番組の対象年齢に応じて重みの異なる点数をそれぞれ設定しておき、テレビ視聴履歴情報として、視聴した時間帯の視聴時間に基づく当該時間帯の点数、および視聴した番組の視聴時間に基づく当該番組の点数を加算した合計点数を視聴履歴記憶手段に記憶し、該合計点数に基づき、前記視聴制限の必要性を判定する。
【００１３】
また、本発明は、テレビ視聴者の顔画像を取得する撮像手段と、顔画像を記憶する顔画像記憶手段と、前記顔画像に関連付けて、当該人物のテレビ視聴履歴情報を記憶する視聴履歴記憶手段と、前記撮像手段で取得された顔画像に基づき前記顔画像記憶手段を照合し、一致する顔画像の人物を特定する顔認識手段と、前記顔認識手段で特定された人物のテレビ視聴履歴情報を視聴履歴記憶手段から抽出し、該テレビ視聴履歴情報に基づきテレビの視聴制限の必要性を判定する判定手段と、前記判定手段の結果に基づき、要求された番組について必要な視聴制限を行う視聴制限手段とより構成してなることを特徴とするテレビ視聴制限装置をも提供する。
【００１４】
ここで、前記視聴履歴情報が、視聴した時間帯および視聴した番組に関する情報を含むものが好ましい。
【００１５】
具体的には、視聴する時間帯に応じて重みの異なる点数を設定しておき、前記視聴履歴記憶手段が、テレビ視聴履歴情報として視聴した時間帯の視聴時間に基づき当該時間帯の点数を算出して視聴履歴記憶手段に記憶してなり、前記判定手段が、抽出した前記テレビ視聴履歴情報に含まれる前記点数に基づき、前記視聴制限の必要性を判定するものや、視聴する番組の対象年齢に応じて重みの異なる点数を設定しておき、前記視聴履歴記憶手段が、テレビ視聴履歴情報として視聴した番組の視聴時間に基づき当該番組の点数を算出して視聴履歴記憶手段に記憶してなり、前記判定手段が、抽出した前記テレビ視聴履歴情報に含まれる前記点数に基づき、前記視聴制限の必要性を判定するものが好ましい。
【００１６】
また、本発明は、コンピュータに、上記したテレビ視聴制限方法における各手順を実行させるための視聴制限プログラムであって、撮像手段により取得されるテレビ視聴者の顔画像を、顔画像記憶手段に記憶するとともに、当該人物のテレビ視聴履歴情報を前記顔画像に関連付けて視聴履歴記憶手段に記憶する手順、前記撮像手段で取得された顔画像につき、前記顔画像記憶手段を照合して一致する顔画像の人物を特定する手順、特定された人物のテレビ視聴履歴情報を視聴履歴記憶手段から抽出する手順、該テレビ視聴履歴情報に基づきテレビの視聴制限の必要性を判定する手順、その判定結果に基づき、要求された番組について必要な視聴制限を行う手順、を実行させるテレビ視聴制限プログラムをも提供する。
【発明の効果】
【００１７】
以上にしてなる本願発明に係るテレビ視聴制限装置は、顔画像より特定された人物のテレビ視聴履歴情報を視聴履歴記憶手段から抽出して、該テレビ視聴履歴情報に基づいてテレビの視聴制限の必要性を判定し、その判定結果に基づき必要な視聴制限を行うので、従来のようなパスワードの設定等の操作は不要であり、年齢に応じたより詳細な視聴制限を行うことができる。また、過去の視聴履歴に基づいて判定するので、その人物の年齢や識別情報を予め設定・登録したり、成長に応じて変更する必要もなく、自動的に適切な視聴制限を行うことができ、非常に使い勝手のよいテレビ視聴制限技術が提供できる。つまり、個人の年齢や識別情報によって一元的に管理するのではなく、顔認識を手懸りに、過去の視聴履歴に基づき視聴制限の必要性を適切に判断できるのである。
【００１８】
また、テレビ視聴者の人数を判定し、一人の場合にその顔画像を顔画像記憶手段に記憶するとともに当該人物のテレビ視聴履歴情報を前記顔画像に関連付けて視聴履歴記憶手段に記憶し、同じく前記撮像手段により取得されるテレビ視聴者の人数が一人の場合に、その顔画像につき、前記顔画像記憶手段を照合して一致する顔画像の人物を特定するので、その人物により的確な視聴履歴を残すことができ、その人物に対して的確な視聴制限を行うことが可能となる。
【００１９】
また、視聴時間が所定時間以上の場合にのみ、前記視聴履歴情報を前記顔画像に関連付けて視聴履歴記憶手段に記憶するので、その人物の趣味、嗜好、年齢等により近い視聴履歴を残し、視聴制限の必要性を判定する精度を高めることができる。
【００２０】
また、視聴する時間帯に応じて重みの異なる点数を設定しておき、テレビ視聴履歴情報として、視聴した時間帯の視聴時間に基づき当該時間帯の点数を算出して視聴履歴記憶手段に記憶し、該点数に基づき、前記視聴制限の必要性を判定したり、視聴する番組の対象年齢に応じて重みの異なる点数を設定しておき、テレビ視聴履歴情報として、視聴した番組の視聴時間に基づき当該番組の点数を算出して視聴履歴記憶手段に記憶し、該点数に基づき、前記視聴制限の必要性を判定するので、これら点数の大小によってより細やかな判定を行うことが可能となる。
【発明を実施するための最良の形態】
【００２１】
次に、本発明の実施形態を添付図面に基づき詳細に説明する。
【００２２】
図１は、本発明に係るテレビ視聴制限装置の構成を示す概念図であり、図１〜７は代表的実施形態を示し、図中符号１はテレビ視聴制限装置、２は撮像カメラ、１３はテレビ受像機をそれぞれ示している。
【００２３】
本発明のテレビ視聴制限装置１は、図２に示すように、処理装置１０を中心に、記憶装置１１、撮像カメラ２およびテレビ受像機１３が接続されたコンピュータであり、前記処理装置１０は、マイクロプロセッサを主体に構成され、図示しないＲＡＭ、ＲＯＭからなる記憶部を有して各種処理動作の手順を規定するプログラムや処理データが記憶される。尚、本例ではテレビ受像機１３として家等に設置される据置型テレビを例示しているが、携帯型のテレビ、例えばテレビチューナ内蔵のノート型パソコンや携帯電話などであってもよい。また、テレビ視聴制限装置１はテレビ受像機１３に内蔵されるものや別体構成としてもよい。
【００２４】
記憶装置１１は、撮像カメラ２から入力されたテレビ視聴者の顔画像を記憶する顔画像記憶部１１ａと、視聴した時間帯や視聴した番組に関する情報等からなるテレビ視聴履歴情報を前記顔画像に関連付けて記憶する視聴履歴記憶部１１ｂと、時間帯や番組の内容に応じて重みの異なる点数を設定した重み付けテーブル記憶部１１ｃとを少なくとも備えたハードディスク等から構成される。
【００２５】
処理装置１０は、機能的には、撮像カメラ２により取得される顔画像を顔画像記憶部１１ａに記憶する顔画像記憶処理部１０ａと、テレビ視聴履歴情報を当該人物の前記顔画像に関連付けて視聴履歴記憶部１１ｂに記憶する視聴履歴記憶処理部１０ｂと、前記撮像カメラ２で取得された顔画像に基づき前記顔画像記憶部１１ａを照合し、一致する顔画像の人物を特定する顔認識処理部１０ｃと、特定された人物のテレビ視聴履歴情報を視聴履歴記憶部１１ｂから抽出し、該テレビ視聴履歴情報に基づきテレビの視聴制限の必要性を判定する判定処理部１０ｄと、前記判定処理部１０ｄの判定結果に基づき、要求された番組について必要な視聴制限を行う視聴制限処理部１０ｅとを少なくとも備えており、これら各機能は上記プログラムにより実現される。
【００２６】
顔画像記憶処理部１０ａは、撮像カメラ２により取得される顔画像を顔画像記憶部１１ａに記録する。具体的には、後述する顔認識処理部１０ｃで一致する顔画像の人物が特定されなかった場合に、取得されたテレビ視聴者の顔画像及び前記顔認識処理部１０ｃで解析された数値データを記録する。
【００２７】
視聴履歴記憶処理部１０ｂは、テレビ視聴履歴情報として、視聴した時間帯や番組に関する情報を視聴履歴記憶部１１ｂに記憶する。具体的には、視聴されている時間帯および番組の点数（重みの値）を重み付けテーブル記憶部１１ｃからそれぞれ抽出するとともに、これら点数から算出される数値、例えば合計点数を、前記顔画像にリンクさせて視聴履歴記憶部１１ｂに記録する。
【００２８】
顔認識処理部１０ｃは、取得された顔画像を解析し、顔の外形、目、耳等の位置、形状、相互関係などを認識して数値化し、該数値データに基づき、前記顔画像記憶部１１ａの各人物の数値データを照合して一致する顔画像の人物を特定する。この顔認識処理は従来から公知の手法が適用でき、顔画像の角度の違いや、化粧の有無、髪型の違いなどの影響を除く補正を行うことが好ましい。
【００２９】
判定処理部１０ｄは、顔画像によって特定された人物の視聴履歴記憶部１１ｂに記録されている過去の視聴履歴、たとえば上記合計点数の所定時間（特定期間）あたりの積算値を算出して、該値の大きさに応じて視聴制限の要否、程度などの必要性について判定する。
【００３０】
視聴制限処理部１０ｅは、前記判定処理部１０ｄにより視聴制限が必要と判断された場合に、その程度に応じて要求された番組につき視聴制限を行う。例えば、上記積算値の大きさに応じて、特定の重みを有する番組を視聴不可としたり、特定の重みを有する時間帯を視聴を不可としたり、その他、重み付けテーブルの内容に基づくのではなく、特定の番組、例えば視聴年齢制限付きの放送について、成人向け番組（成人指定）、１８歳未満視聴不可（Ｒ１８指定）、１５歳未満視聴不可（Ｒ１５指定）、１２歳未満視聴不可（Ｒ１２指定）などがあるが、これらの番組の視聴、あるいは保護者等によって子供に見せたくないような番組として予め設定されたものの視聴を不可としたり、特定の時間帯を設定して視聴不可とし、テレビ受像機に対して制限信号を送信して視聴を制限するための処理を行なう。
【００３１】
以下、図７のフロー図に基づき、本発明に係るテレビ視聴制限方法の手順について説明する。
【００３２】
まず、テレビ番組を視聴しようとするユーザがリモコン等よりテレビ電源を入れて番組を要求すると、テレビ受像機１３に搭載された撮像カメラ２が、テレビを視聴しようとしているユーザの画像を撮影する（Ｓ１０１）。そして顔認識処理部１０ｃが取得された顔画像を解析して、テレビ視聴者（ユーザ）の数を特定する（Ｓ１０２）。
【００３３】
Ｓ１０２においてユーザが一人でない（複数）と判定された場合、Ｓ１０８で視聴制限処理を行なわずにテレビ視聴を許可して処理を終了する。なお、本発明はこのようにユーザが一人でない場合に視聴制限せず、視聴履歴も記録しないといった例に何ら限定されず、一人でも制限の必要なものが含まれておれば必要な制限を行うものや、各人物のテレビ視聴履歴を更新することとしても良い。
【００３４】
Ｓ１０２においてユーザが一人であると判定された場合、顔認識処理部１０ｃが解析した顔画像の数値データに基づき、前記顔画像記憶部１１ａから一致する人物を特定する（Ｓ１０３）。図３は、顔画像記憶部１１ａの一例であり、顔数値データとして解析された顔の外形等の数値データ「００２，０１１，０２１，００７」が記録されており、前記顔認識処理部１０ｃにより解析された顔画像の数値データに一致する数値データの顔ＩＤ（人物識別番号）を抽出することで人物が特定されることとなる。
【００３５】
Ｓ１０３において、一致する人物が特定できなかった場合には、新規の人物として視聴を許可し（Ｓ１０９）、顔画像記憶処理部１０ａは視聴時間が所定時間を超えれば（Ｓ１１０）、顔データ（数値データ等）を顔画像記憶部１１ａのテーブル（図３）に新規登録し、視聴履歴記憶処理部１０ｂは、その視聴履歴データを視聴履歴記憶部１１ｂのテーブル（図４）に記録する。
【００３６】
視聴履歴記憶処理部１０ｂは、視聴された時間帯および番組の点数を重み付けテーブル記憶部１１ｃから抽出してそれぞれ視聴時間に応じた加算値を記録する。図５は、重み付けテーブル記憶部１１ｃの一例であり、図中（ａ）は時間帯の重み付けテーブル、（ｂ）は番組の重み付けテーブルを例を示している。ポイント計測は、テレビ視聴を開始したときと、一定時間（例えば１時間）ごとに加算してゆく。
【００３７】
例えば、あるＡさんが１６時に対象年齢１２歳未満のアニメ番組を見ていた場合、時間帯ポイント「２」および対象年齢ポイント「５」がそれぞれ一定時間ごとに加算され、視聴終了までの加算値がそれぞれ視聴履歴記憶部１１ｂのテーブルに記録され、Ｂさんが２３時に全年齢対象のニュースを見ていた場合、時間帯ポイント「０」および対象年齢ポイント「０」がそれぞれ一定時間ごとに加算され、視聴終了までの加算値がそれぞれ視聴履歴記憶部１１ｂのテーブルに記録されることとなる。
【００３８】
本例では、図５に示すように時間帯の重み付けテーブルとして、子供が視聴する可能性の高い時間帯を大きな値で重みを設定するとともに、番組の重み付けテーブルとして、子供向けの番組ほど大きな値で重みを設定しており、計測されるポイントが大きいほど子供が視聴している可能性が高くなるように設定されている。
【００３９】
Ｓ１０３において、一致する人物が特定できた場合、特定された顔ＩＤに基づいて図４の視聴履歴記憶部１１ｂのテーブルから当該ＩＤの人物の履歴情報を抽出し（Ｓ１０４）、その履歴情報、具体的には過去一定期間の時間帯ポイントおよび番組ポイントの積算値を算出してその積算値に基づきテレビの視聴制限の必要性を判定する（Ｓ１０５）。本例では、視聴時間１００時間あたりの積算値を算出して、図６に示すようにその値が３００以下であるか、３０１〜５００であるか、５０１以上であるか判定し（Ｓ１０５）、その判定結果に基づき、Ｓ１０６において、積算値が３００以下であれば視聴制限を行わず、３０１〜５００以下であれば、子供である可能性が高いことから２４時以降の視聴を制限し、５０１以上であれば、より年齢の低い子供である可能性が高いことから２１時以降の視聴を制限し、視聴を許可した視聴時間については、視聴履歴情報を更新する（Ｓ１０７）。
【００４０】
なお、本例では、視聴時間帯のみ制限したが、上述したように、番組の内容に応じて視聴制限することも勿論可能である。また、本例ではポイントの積算値から直接視聴制限の内容を判定しているが、その値の大きさからテレビ視聴者（ユーザ）の推定年齢を算出し、その推定年齢に応じて制限内容を判定するようにしても勿論良い。本例では積算値が大きい程年齢が低いことが推定でき、積算値が高くなればなるほど、視聴制限が厳しなっている。
【００４１】
また、本例では１００時間の視聴時間あたりのポイント積算値を用いたが、過去一定期間の視聴情報のポイント積算値を用いてもよい。例えば、過去３０日とした場合には、新しい視聴履歴情報（ポイント）を記録するごとに、履歴情報から古い情報を消去し、判定の際には履歴情報内に記録されているポイントの総数を算出することが好ましい。
【００４２】
以上本発明の実施形態について説明したが、本発明はこうした実施例に何ら限定されるものではなく、本発明の要旨を逸脱しない範囲において種々なる形態で実施し得ることは勿論である。
【図面の簡単な説明】
【００４３】
【図１】本発明に係るテレビ視聴制限装置を含む全体システムを示す概念図。
【図２】同じくテレビ視聴制限装置の構成を示すブロック図。
【図３】顔画像記憶部の一例を示す説明図。
【図４】視聴履歴記憶部の一例を示す説明図。
【図５】（ａ）及び（ｂ）は、重み付けテーブル記憶部の一例を示す説明図。
【図６】視聴制限の判定基準を示す説明図。
【図７】本発明に係るテレビ視聴制限方法の手順を示すフロー図。
【符号の説明】
【００４４】
１  テレビ視聴制限装置
２  撮像カメラ
１０  処理装置
１０ａ  顔画像記憶処理部
１０ｂ  視聴履歴記憶処理部
１０ｃ  顔認識処理部
１０ｄ  判定処理部
１０ｅ  視聴制限処理部
１１  記憶装置
１１ａ  顔画像記憶部
１１ｂ  視聴履歴記憶部
１１ｃ  テーブル記憶部
１３  テレビ受像機
【図１】
2008182392.tif 000003
【図２】
2008182392.tif 000004
【図３】
2008182392.tif 000005
【図４】
2008182392.tif 000006
【図５】
2008182392.tif 000007
【図６】
2008182392.tif 000008
【図７】
2008182392.tif 000009